(57)【特許請求の範囲】
【請求項１】
リベットを加熱する加熱コイルと、前記リベットを昇降可能な昇降装置とを備える加熱装置を用いたリベット施工方法であり、
前記昇降装置を用いて前記加熱コイル内に前記リベットを挿入する工程と、
前記加熱コイルによる誘導発熱を用いて前記リベットを加熱する工程と、
前記加熱する工程の後、前記加熱コイル内から前記リベットを抜く工程と、
前記リベットを加熱する工程により加熱された前記リベットを打設する工程とを備え、
前記昇降装置は機械的調整機構をさらに備え、
前記リベットを挿入する工程において、前記機械的調整機構により前記リベットが昇降され、前記リベットの位置が調整される、リベット施工方法。
【請求項２】
リベットを加熱する加熱コイルと、前記リベットを昇降可能な昇降装置とを備える加熱装置を用いたリベット施工方法であり、
前記昇降装置を用いて前記加熱コイル内に前記リベットを挿入する工程と、
前記加熱コイルによる誘導発熱を用いて前記リベットを加熱する工程と、
前記加熱する工程の後、前記加熱コイル内から前記リベットを抜く工程と、
前記リベットを加熱する工程により加熱された前記リベットを打設する工程とを備え、
前記加熱装置は、耐熱ベースシートと、前記耐熱ベースシートの上に配置される耐熱シートとをさらに備え、
前記耐熱シートには貫通孔が形成されており、
前記リベットを加熱する工程においては、前記リベットの頭部を前記貫通孔内に挿入し、前記リベットが倒立可能な、リベット施工方法。
【請求項３】
前記加熱装置は、前記耐熱ベースシートおよび前記耐熱シートを搭載する搭載部をさらに備え、
前記搭載部を構成する材料の主成分は電磁誘導発熱を伴わない材料である、請求項２に記載のリベット施工方法。
【請求項４】
前記リベットを挿入する工程の後、前記リベットを加熱する工程の前に、前記加熱コイル内に治具を挿入する工程をさらに備え、
前記治具は筒形状を有する筒形状部を含み、
前記治具を挿入する工程においては、前記加熱コイルと前記リベットとの間に、前記筒形状部が挿入される、請求項１〜３のいずれか１項に記載のリベット施工方法。
【請求項５】
リベットを加熱する加熱コイルと、前記リベットを昇降可能な昇降装置とを備える加熱装置を用いたリベット施工方法であり、
前記昇降装置を用いて前記加熱コイル内に前記リベットを挿入する工程と、
前記加熱コイルによる誘導発熱を用いて前記リベットを加熱する工程と、
前記加熱する工程の後、前記加熱コイル内から前記リベットを抜く工程と、
前記リベットを加熱する工程により加熱された前記リベットを打設する工程とを備え、
前記リベットを挿入する工程の後、前記リベットを加熱する工程の前に、前記加熱コイル内に治具を挿入する工程をさらに備え、
前記治具は筒形状を有する筒形状部を含み、
前記治具を挿入する工程においては、前記加熱コイルと前記リベットとの間に、前記筒形状部が挿入される、リベット施工方法。
【請求項６】
前記加熱コイル内に治具を挿入する工程の後、前記治具を加熱コイル内から取り外す工程をさらに備え、
前記治具は、前記筒形状部が延在する方向の一方の端部に固定された収納部と、前記収納部内に収納可能な押圧部とをさらに含み、
前記治具を前記加熱コイル内から取り外す工程においては、前記延在する方向について前記収納部に対して前記押圧部が移動し前記収納部に対する前記押圧部の相対位置が変化することにより、前記押圧部の一部が前記筒形状部内に収納された状態で前記リベットを押圧する、請求項４または５に記載のリベット施工方法。
【請求項７】
請求項１〜６のいずれか１項に記載のリベット施工方法を実施するためのリベット施工システムであり、
前記加熱装置と、
前記加熱装置を前記リベットを打設する工程がなされる打設場所まで運搬する運搬手段と、
前記打設場所にて前記リベットを加熱する工程から前記リベットを打設する工程までにおいて前記加熱コイルに冷媒を流すことが可能なホースとを備える、リベット施工システム。
【発明の詳細な説明】
【技術分野】
【０００１】
本開示は、リベット施工方法およびリベット施工システムに関する。
【背景技術】
【０００２】
歴史的鋼橋は、文化財的価値が認識された橋、経済条件および地形条件などから架け替えが困難な橋、および新橋が架設されたために旧道化した橋のいずれかである。近年、歴史的鋼橋と認識可能な橋梁が増加している。これにより、歴史的鋼橋の文化的価値に対する社会的認識が高まっている。
【０００３】
これらの橋梁は老朽化すれば、補修または補強される。歴史的鋼橋は、歴史的価値および文化的価値を損なわずに、オリジナリティが尊重された補修技術および補強技術が求められる。そのためには歴史的鋼橋の修復による複数部材間の接合は、可能な限り、リベットによりなされることが望ましい。
【０００４】
従来、橋梁の補修用のリベットは、コークス炉により加熱され、それがリベットを挿入するための穴などの所定位置に挿入された状態でリベットが加締められることにより複数部材間を接合する。
【０００５】
一方、たとえば「高周波誘導加熱によるリベット打設に関する基礎的検討」(非特許文献１）において、打設用のリベットが高周波誘導加熱されることが提案されている。特開昭５３−９７１５８号公報（特許文献１）にも上記と同様の記載がされている。
【先行技術文献】
【特許文献】
【０００６】
【特許文献１】特開昭５３−９７１５８号公報
【非特許文献】
【０００７】
【非特許文献１】末廣，外３名，”高周波誘導加熱によるリベット打設に関する基礎的検討”，令和２年度土木学会全国大会第７５回年次学術講演会概要集，令和２年９月８日〜１０日、Ｉ−１０３
【発明の概要】
【発明が解決しようとする課題】
【０００８】
しかし、コークス炉によるリベットの加熱を行なうためには現場に火床を設置する必要があるため、安全上問題がある。またコークス炉によるリベットの加熱作業は、リベットの打設可能温度に対する熟練した技能者による判断が欠かせない上に時間がかかり、作業効率が低い。
【０００９】
また上記の各文献においては、リベットが高周波誘導加熱されることについてのみ開示されるが、具体的にどのような方法で高周波誘導加熱されるかについては開示されていない。このため新たなリベット接合技術の開発の余地がある。
【００１０】
本開示は以上の課題に鑑みなされたものである。その目的は、安全性が高く熟練技能者の判断が伴う側面が少なく作業効率の高い新たなリベット施工方法、および施工現場において当該リベット施工方法を安全、容易かつ高効率に用いるための単一化されたリベット施工システムを提供することである。
【課題を解決するための手段】
【００１１】
本開示に従ったリベット施工方法は、リベットを加熱する加熱コイルと、リベットを昇降可能な昇降装置とを備える加熱装置を用いたリベット施工方法である。当該リベット施工方法は、昇降装置を用いて加熱コイル内にリベットを挿入する工程と、加熱コイルの誘導発熱を用いてリベットを加熱する工程と、加熱する工程の後、加熱コイル内からリベットを抜く工程と、リベットを加熱する工程により加熱されたリベットを打設する工程とを備える。
【００１２】
本開示に従ったリベット施工システムは、上記リベット施工方法を実施するためのものであり、加熱装置と、運搬手段と、ホースとを備える。運搬手段は、加熱装置をリベットを打設する工程がなされる打設場所まで運搬する。ホースは、打設場所にてリベットを加熱する工程からリベットを打設する工程までにおいて加熱コイルに冷媒を流すことが可能である。
【発明の効果】
【００１３】
本開示によれば、安全性が高く熟練技能者の判断が伴う側面が少なく作業効率の高い新たなリベット施工方法、および施工現場において当該リベット施工方法を安全に用いるための単一化されたリベット施工システムを提供できる。
【図面の簡単な説明】
【００１４】
【図１】本実施の形態に係るリベット施工方法のフローチャートである。
【図２】本実施の形態に係るリベット施工方法を実施するための加熱装置の構成を示す概略図である。
【図３】昇降装置の構成を示す概略図である。
【図４】機械的調整機構の構成を示す概略図である。
【図５】搭載部を示す概略図である。
【図６】搭載部に耐熱ベースシートが搭載された態様を示す概略図である。
【図７】耐熱ベースシートに耐熱シートが搭載された態様を示す概略図である。
【図８】耐熱シートの貫通孔にリベットが固定された態様を示す概略図である。
【図９】図８に示す部分およびその下側の領域を示す概略図である。
【図１０】図９に示すように耐熱シートの貫通孔に固定されたリベットが加熱コイル内に挿入された態様を示す概略図である。
【図１１】リベットが挿入された加熱コイル内に挿入される治具の構成を示す概略図である。
【図１２】図１１と同一の治具を、図１１とは異なる角度から見た構成を示す概略図である。
【図１３】加熱コイル内に治具が挿入される工程を示す概略図である。
【図１４】加熱コイル内に治具が挿入される工程のうち、図１３の工程に続く工程を示す概略図である。
【図１５】加熱コイル内に治具が挿入される工程のうち、図１４の工程に続く工程を示す概略図である。
【図１６】本実施の形態のリベット施工システムを用いた、リベットを打設する工程を示す概略図である。
【図１７】加熱コイル内に治具が挿入される工程のうち、図１６の工程に続く工程を示す概略図である。
【図１８】比較例のリベット施工システムの第１例を用いた、リベットを打設する工程を示す概略図である。
【図１９】比較例のリベット施工システムの第２例を用いた、リベットを打設する工程を示す概略図である。
【発明を実施するための形態】
【００１５】
以下、図面を参照しながら、本実施の形態について説明する。
図１は、本実施の形態に係るリベット施工方法のフローチャートである。図１を参照して、本実施の形態に係るリベット施工方法においては、まず昇降装置で加熱コイル内にリベットが挿入される（Ｓ１０）。
【００１６】
図２は、本実施の形態に係るリベット施工方法を実施するための加熱装置の構成を示す概略図である。図２を参照して、本実施の形態のリベット施工方法は、加熱装置１００により実施される。加熱装置１００は、電源装置１と、冷却装置３と、加熱コイル５と、昇降装置７とを主に備えている。電源装置１は、加熱装置１００に含まれる冷却装置３、加熱コイル５および昇降装置７などを作動させる。冷却装置３は、たとえば加熱コイル５を冷却する。加熱装置１００においては、これらの各装置が互いに電気的に接続されている。加熱コイル５は上下方向に沿って延び、リベットを加熱する。昇降装置７は、リベットを昇降可能である。昇降装置７がリベットを図２よりも上方に上昇させリベットが加熱コイル５内に挿入された状態で、加熱コイル５による誘導発熱を用いてリベットが加熱される（Ｓ２０）。リベットが加熱された後、昇降装置７がリベットを図１のように下方に配置される状態に戻すように下降させることで加熱コイル５内からリベットが抜かれ（Ｓ３０）、加熱されたリベットが打設される（Ｓ４０）。以下、加熱装置１００の各部材について説明しながら、各工程について詳細に説明する。
【００１７】
加熱装置１００を使用していない状態においては、図２のように、電源装置１および冷却装置３は、加熱コイル５および昇降装置７から離れた位置に設置されていることが好ましい。これに対し、加熱コイル５は昇降装置７の真上に、高さ方向について昇降装置７と間隔をあけて配置されることが好ましい。昇降装置７により、昇降装置７と一体に設けられたリベットが、高さ方向に移動する。これにより、昇降装置７の真上の加熱コイル５内にリベットが挿入されたり、リベットが加熱コイル５から取り外されたりする。なお加熱コイル５内とは、加熱コイル５が巻回された部分の内側の、当該巻回された部分に囲まれる領域を意味する。
【００１８】
図３は、昇降装置の構成を示す概略図である。図３を参照して、昇降装置７は、たとえば図の上下方向すなわち高さ方向についての寸法がこれに交差する水平方向（縦方向および横方向）の寸法に比べて大きい、直方体状のエアジャッキ８を有している。直方体状のエアジャッキ８の内部には、たとえば後述する軸としてのエアシリンダ８ａが収納されている。エアジャッキ８への気体の供給量が、エアジャッキ８に接続されたエアー弁１１の開閉により調整される。
【００１９】
昇降装置７のエアジャッキ８の上側には、搭載部１３が設置されている。搭載部１３は後述するように、リベットを設置する部材である。エアー弁１１により調整されたエアジャッキ８への気体の供給量に応じて、エアジャッキ８に含まれるエアシリンダ８ａが上下方向に動く。つまりエアー弁１１の開閉状態の調整により、エアシリンダ８ａが上下方向に動くストローク量が制御できる。これによりエアシリンダ８ａの真上に存在する搭載部１３の高さ方向の位置が制御できる。このことを言い換えれば、エアジャッキ８への気体の供給量に応じたエアシリンダ８ａのストローク量だけ、搭載部１３が昇降する。エアジャッキ８により、搭載部１３に固定されたリベットなどの部材が速やかに昇降可能である。
【００２０】
昇降装置７は、エアジャッキ８の他に、機械的調整機構９が備えられてもよい。機械的調整機構９は、昇降装置７のエアジャッキ８およびエアー弁１１と同様に、搭載部１３を高さ方向に昇降する。ただし機械的調整機構９は、エアジャッキ８よりも微小なスケールで、搭載部１３の高さ方向の位置を調整する。
【００２１】
図４は、機械的調整機構の構成を示す概略図である。図４を参照して、機械的調整機構９は、たとえばエアジャッキ８の横に並ぶように配置されている。機械的調整機構９は、昇降装置７のエアジャッキ８の全体の高さ方向の位置を微調整しながら変更できる。つまりエアジャッキ８は、その内部に配置されるエアシリンダ８ａのストローク量のみにより、搭載部１３およびその上に搭載される部材の上下方向の位置を調整できる。これに対して機械的調整機構９は、エアシリンダ８ａのストローク量とは無関係に、エアシリンダ８ａを含む直方体状のエアジャッキ８の全体の位置を上下方向に微調整できる。
【００２２】
機械的調整機構９は、ダイヤル９ａと、微調整部９ｂと、エアジャッキ昇降部９ｃとを有している。機械的調整機構９は、たとえばいわゆるスクリュージャッキである。具体的には、上下方向に延びる直方体状の微調整部９ｂ内には、上下方向に延びるねじが収納されている。このねじはダイヤル９ａと繋がっており、ダイヤル９ａを回す方向に応じてねじは上下方向に移動する。この移動により、当該ねじと連動可能なエアジャッキ昇降部９ｃが上下方向に移動する。エアジャッキ昇降部９ｃは微調整部９ｂおよびエアジャッキ８の全体を下方から支持および収納している。このためエアジャッキ昇降部９ｃが上下方向に動けば、そこに支持および収納されたエアジャッキ８の全体が、エアジャッキ昇降部９ｃと同様に上下方向に微小な量だけ動く。つまりエアジャッキ昇降部９ｃはエアジャッキ８の全体を微小な量だけ昇降させる。
【００２３】
次に昇降装置７と連動可能にリベットを設置する部材について説明する。図５は、搭載部を示す概略図である。図５を参照して、搭載部１３は、たとえば上方からの平面視において矩形または正方形を有するトレーである。つまり搭載部１３は、矩形または正方形の底面の各辺（縁）から、上方に向けて延びる浅い壁面が形成されている。搭載部１３は、この壁面と底面とにより枠を形成しており、枠の内側にリベットなどが固定可能である。つまり搭載部１３は、受け皿のような形状を有している。
【００２４】
搭載部１３は、電磁誘導発熱を伴わない材料を主成分とすることが好ましい。具体的には、搭載部１３はアルミニウムおよびステンレスのいずれかを主成分とする。ただし搭載部１３は上記以外の材質を微量含んでもよい。
【００２５】
図６は、搭載部に耐熱ベースシートが搭載された態様を示す概略図である。図６を参照して、搭載部１３の壁面に囲まれた枠の部分に、耐熱ベースシート２１が搭載される。耐熱ベースシートは搭載部１３の枠内に収まることが可能な、搭載部１３の底面と同様の平面形状を有している。耐熱ベースシート２１は高さ方向に厚みを有することが好ましい。図６に示すように、耐熱ベースシート２１の厚みは、搭載部１３の枠を形成する壁面の高さ方向の寸法よりも大きくてもよいが、これに限られない。なお耐熱ベースシート２１の材質は、たとえばミオレックスと呼ばれるアスベストを含まない耐熱性および断熱性の構造材料であることが好ましい。
【００２６】
図７は、耐熱ベースシートに耐熱シートが搭載された態様を示す概略図である。図７を参照して、搭載部１３の枠内に収められた耐熱ベースシート２１上に、耐熱シート２３が搭載される。耐熱シート２３は、平面視において耐熱ベースシート２１よりも小さく、耐熱ベースシート２１の中央部に収まる大きさであることが好ましい。耐熱シート２３は高さ方向に厚みを有することが好ましい。耐熱シート２３の厚みは、耐熱ベースシート２１の厚みと同等であってもよいが、耐熱ベースシート２１よりも厚くてもよい。耐熱シート２３は、たとえば平面視にて円形状であってもよいがこれに限られない。なお耐熱シート２３の材質は、たとえばミオレックスと呼ばれるアスベストを含まない耐熱性および断熱性の構造材料であることが好ましい。
【００２７】
耐熱シート２３は、リベット５０の施工工程において耐熱シート２３に加わることが想定される力が、耐熱ベースシート２１上を耐熱シート２３が滑り移動するのに要する力に比べて十分に小さくなる程度の重量および摩擦力を有することが好ましい。このため初期設定により加熱コイル５とリベット５０との間の相対位置が定まれば、以降は同一サイズの複数のリベット５０のそれぞれに対して同一の加熱コイル５とリベット５０との間の相対位置において加熱処理が可能である。
【００２８】
耐熱シート２３は、その平面視での中央部に、貫通孔２５が形成されている。貫通孔２５は、耐熱シート２３の厚み方向についてこれを貫通するように形成されている。貫通孔２５は、平面視にて円形状を有している。貫通孔２５の大きさは、リベットを倒立させるために、半円形状の頭部よりもやや小さめとし、貫通孔２５でリベットの頭部を支えることができる程度であることが好ましい。
【００２９】
図８は、耐熱シートの貫通孔にリベットが固定された態様を示す概略図である。図９は、図８に示す部分およびその下側の領域を示す概略図である。図８および図９を参照して、図７の耐熱ベースシート２１上の耐熱シート２３に、リベット５０の頭部が挿入される。なおリベット５０は筒状に延びる本体部と、本体部の延びる方向の一方の端部に形成され本体部よりも延びる方向に交差する方向の寸法が大きい頭部とを有している。したがってリベット５０は、本体部よりも径の大きい頭部が下側に、本体部が上側に配置されるよう倒立した状態で、貫通孔２５内に頭部が嵌めこまれる。貫通孔２５内に頭部が嵌めこまれたリベット５０は、本体部が高さ方向に沿って延びるように直立する。なお図９においては、リベット５０は加熱コイル５内には入り込まず、加熱コイル５の真下に配置されている。このように、リベット５０の頭部を貫通孔２５内に挿入し、リベット５０が倒立可能となる。これは次に述べる、リベット５０の加熱コイル５内への挿入を可能とする観点からなされる。
【００３０】
図１０は、図９に示すように耐熱シートの貫通孔に固定されたリベットが加熱コイル内に挿入された態様を示す概略図である。図１０を参照して、図９のように頭部が貫通孔２５内に挿入され、倒立可能に耐熱シート２３に固定されたリベット５０は、昇降装置７（エアシリンダ８ａ）により上昇し、昇降装置７（エアジャッキ８）の真上の加熱コイル５内に挿入される。これにより、リベット５０は加熱コイル５内の適正な上下方向位置に配置される。
【００３１】
このときリベット５０の上下方向位置の調整は、エアジャッキ８内のエアシリンダ８ａのみによりなされてもよい。すなわちエアジャッキ８に含まれるエアシリンダ８ａが上側に移動すると、エアジャッキ８上の搭載部１３、その上の耐熱ベースシート２１、耐熱シート２３およびリベット５０が上昇する。あるいは当該調整は、エアジャッキ８に加えて機械的調整機構９が用いられることによりなされてもよい。つまりリベットを挿入する工程（Ｓ１０）においては、機械的調整機構９により、加熱しようとするリベットが昇降されてもよい。具体的には、リベットはエアジャッキ８により加熱コイル５内に挿入された後、さらに適正な位置に配置されるよう、機械的調整機構９によりその上下方向の位置が微調整される。
【００３２】
機械的調整機構９を用いたリベット５０の上下方向位置の微調整は、加熱しようとするリベット５０が多数存在する場合に、それら多数のリベット５０のサイズがいずれも同じであれば、最初の（１本目の）リベット５０の加熱前のセッティングの時のみなされればよい。そのようにすれば、２本目以降のリベット５０のセッティング時には、エアジャッキ８により加熱コイル５内の適正な位置で止まるようにリベット５０を加熱コイル５内に挿入できる。このため２本目以降のリベット５０のセッティング時には機械的調整機構９を用いた微調整は不要となる場合がある。ただし、リベット５０を１本加熱する毎に（毎回）機械的調整機構９による微調整がなされてもよい。以上の各部材を用いて、加熱しようとするリベット５０が加熱コイル５内に挿入される。
【００３３】
リベット５０が加熱コイル５内に挿入される工程（Ｓ１０）の後、リベットを加熱する工程（Ｓ２０）の前に、加熱コイル５内に治具３０が挿入されてもよい。図１１は、リベットが挿入された加熱コイル内に挿入される治具の構成を示す概略図である。図１２は、図１１と同一の治具を、図１１とは異なる角度から見た構成を示す概略図である。図１１および図１２を参照して、治具３０は、筒形状部３１と、収納部３３と、押圧部３５とを有している。なお治具３０は、押圧部３５の先端に把持部３７を有してもよい。
【００３４】
筒形状部３１は、たとえばウレタンなどの加工しやすい材料により形成された、筒形状、特に円筒形状の部材である。筒形状部３１の内部は、その延びる方向に沿う貫通孔により形成された空洞となっている。この空洞の部分に押圧部３５が挿入可能となっている。
【００３５】
収納部３３および押圧部３５は、たとえば一般公知の鋼材により形成されている。収納部３３は筒形状部３１の延在する方向の一方側の端部に固定されており、たとえば円筒形状を有している。押圧部３５はたとえば円柱形状を有し、図１１および図１２においては収納部３３の内部に収納されている。押圧部３５には、治具３０の延びる方向について、収納部３３からみて筒形状部３１と反対側の端部に把持部３７が固定されている。把持部３７はたとえば一般公知の樹脂材料により形成されている。把持部３７は収納部３３に対して押圧部３５を、治具３０の延在する方向に沿って移動させる際に把持する部分として設けられている。これにより押圧部３５は治具３０の延在する方向に沿って移動し、収納部３３および筒形状部３１内に収納すること、および収納部３３から把持部３７側へ引き出され露出することの双方が可能である。
【００３６】
図１３は、加熱コイル内に治具が挿入される工程を示す概略図である。図１３を参照して、加熱コイル５とその内部のリベット５０との間に筒形状部３１が挿入される。筒形状部３１が挿入されることにより、治具３０の延在する方向に交差する、たとえば円形の断面の径方向について、外側の加熱コイル５と内側のリベット５０との間に筒形状部３１が配置される態様となる。これにより、径方向について加熱コイル５とリベット５０とが接触しないようにリベット５０が配置される。なお図１３においては、押圧部３５はその一部が収納部３３から見て筒形状部３１と反対側に露出しており、押圧部３５の一部は収納部３３内および筒形状部３１内のいずれにも収納されていない。
【００３７】
図１４は、加熱コイル内に治具が挿入される工程のうち、図１３の工程に続く工程を示す概略図である。図１４を参照して、図１３の工程により加熱コイル５とリベット５０との径方向の間隔が確保された後、治具３０が加熱コイル５内から取り外される。具体的には、治具３０の延在する方向について押圧部３５が、収納部３３内に押し込まれるように移動する。つまりこのとき押圧部３５は図１４の下方へ移動し、その一部である下端部が筒形状部３１内に収納される。
【００３８】
図１５は、加熱コイル内に治具が挿入される工程のうち、図１４の工程に続く工程を示す概略図である。図１５を参照して、図１４にて押圧部３５の下端部が筒形状部３１内に収納される際に、筒形状部３１内にはリベット５０が配置されている。このためリベット５０の上端部が、筒形状部３１内に移動し収納された押圧部３５の下端部により下方へ押圧される。この押圧力により、押圧部３５を含む治具３０の全体が、加熱コイル５内からその上方へ容易に引き上げられる。
【００３９】
図１３〜図１５の治具３０を用いた加熱コイル５とリベット５０との間隔を確保する調整は、加熱しようとするリベット５０が多数存在する場合に、それら多数のリベット５０のサイズがいずれも同じであれば、最初の（１本目の）リベット５０の加熱前のセッティングの時のみなされればよい。そのようにすれば、２本目以降のリベット５０のセッティング時には、加熱コイル５に接触しないようにリベット５０を加熱コイル５内に配置できる。このため２本目以降のリベット５０のセッティング時には治具３０を用いた微調整は不要となる場合がある。ただし、リベット５０を１本加熱する毎に（毎回）治具３０による微調整がなされてもよい。
【００４０】
以上の図２〜図１５に示す加熱装置１００の各部材および各工程を用いて、図１のようにリベット５０が加熱コイル５内に挿入される（Ｓ１０）。その後、加熱コイル５に電源装置１から誘導電流を流すための電力が供給される。加熱コイル５による誘導発熱、つまり加熱コイル５が他の部材を発熱させる現象を用いて、加熱コイル５内のリベット５０が加熱される（Ｓ２０）。
【００４１】
リベット５０が加熱された後、加熱コイル５内からリベット５０が除去される（Ｓ３０）。このときは（Ｓ１０）と逆の手順がなされる。つまり加熱後のリベット５０は、直立するように耐熱シート２３に固定された状態を保ったまま、昇降装置７（エアシリンダ８ａ）により下降し、加熱コイル５の外に出る。すなわちエアジャッキ８に含まれるエアシリンダ８ａが下側に移動すると、エアジャッキ８上の搭載部１３、その上の耐熱ベースシート２１、耐熱シート２３およびリベット５０が下降する。
【００４２】
次に、加熱されたリベット５０が、打設されるべき場所に打設される（Ｓ４０）。図１６は、本実施の形態のリベット施工システムを用いた、リベットを打設する工程を示す概略図である。図１６を参照して、たとえば橋梁の路面Ａの真下にある桁下Ｂにおいて、橋梁を補修するためのリベット５０の打設作業がなされる。打設作業には、上記の加熱装置１００と、運搬手段１１０と、ホース４とを備えるリベット施工システム２００が用いられる。運搬手段１１０はたとえばトラックであり、加熱装置１００をリベット５０の打設場所まで運搬する。
【００４３】
図１７は、加熱コイル内に治具が挿入される工程のうち、図１６の工程に続く工程を示す概略図である。図１７を参照して、運搬手段１１０は打設場所の桁下Ｂの真上の路面Ａに停車される。加熱コイル５および昇降装置７は桁下Ｂまで下ろされる。しかし電源装置１および冷却装置３は大型であり桁下Ｂまで下ろすことが困難である。そこで電源装置１および冷却装置３は運搬手段１１０に積まれた状態とされる。ホース４は路面Ａ上の冷却装置３から桁下Ｂまで引き延ばされ、桁下Ｂに配置され加熱工程がなされる際、およびその後のたとえば打設する工程までに至る間において、運搬手段１１０からたとえば桁下Ｂの加熱コイル５に冷媒を流す。これによりホース４からの冷媒は、加熱コイル５を冷却できる。
【００４４】
リベット施工方法を用いた実際の作業においては、図１の工程（Ｓ１０）〜（Ｓ４０）が、すべて図１６および図１７の打設場所にて行われる。このように施工が行われる場所まで加熱装置１００を搬入可能なパッケージとしてのリベット施工システム２００が構築される。
【００４５】
次に、比較例について説明しながら、本実施の形態の作用効果について説明する。
本実施の形態によらない比較例のリベット施工方法においては、コークス炉によりリベットが加熱される。しかしコークス炉によるリベットの加熱は、上記のように、安全性および作業効率の課題、およびリベットの打設可能温度に対して熟練技能者の判断を要するなどの課題がある。
【００４６】
本開示に従ったリベット施工方法は、リベット５０を加熱する加熱コイル５と、リベット５０を昇降可能な昇降装置７とを備える加熱装置１００を用いる。当該リベット施工方法においては、昇降装置７を用いて加熱コイル５内にリベット５０が挿入される。加熱コイル５による誘導発熱を用いてリベット５０が加熱される。リベット５０が加熱された後、加熱コイル５内からリベット５０が抜かれる。リベット５０を加熱する工程により加熱されたリベット５０が打設される。
【００４７】
加熱コイル５内に発生する強い磁界により、加熱コイル５内に挿入されたリベット５０中に強い電流が流れることでリベット５０が発熱する。この現象が誘導発熱である。加熱コイル５の誘導発熱（加熱コイル５によるリベット５０の発熱）を用いることにより、コークス炉を用いることなく、安全にリベット５０を加熱できる。また加熱コイル５の誘導発熱を用いれば、コークス炉で焼鋲する場合に比べて、リベット５０の打設可能温度までの到達時間を短くできる。具体的にはたとえば、加熱開始から約１５秒以上２５秒以下程度の時間で打設可能温度に到達させることができる。このため、リベット５０の加熱作業の効率を高められる。
【００４８】
さらに加熱コイル５の誘導発熱を用いることにより、コークス炉で加熱する場合に比べて、リベット５０をその全体において均一に加熱できる。このためリベット５０による複数部材間の接合の仕上がり状態をより良好にすることができる。
【００４９】
さらに加熱コイル５の誘導発熱によるリベット５０の加熱は、コークス炉を用いた加熱に比べて、熟練技能者による判断が伴うなどの側面が少ない。
【００５０】
なおリベット５０は、昇降装置７に含まれるたとえばエアジャッキ８（エアシリンダ８ａ）の駆動により、速やかに加熱コイル５内への挿入および加熱コイル５外への移動ができる。
【００５１】
上記リベット施工方法においては、昇降装置７は機械的調整機構９をさらに備え、リベット５０を挿入する工程において、機械的調整機構９によりリベット５０が昇降され、リベット５０の位置が調整されてもよい。
【００５２】
昇降装置７を構成するエアジャッキ８のエアシリンダ８ａ等によりリベット５０を加熱コイル５内と加熱コイル５外との間で移動させることができる。この動作に対する追加の工程として、機械的調整機構９を用いれば、加熱コイル５内のより精確な位置にリベット５０を配置させるようリベット５０の位置を上下方向に微調整できる。
【００５３】
加熱コイル５内で加熱された後のリベット５０を加熱コイル５内から降下させ取りだす工程（Ｓ３０：図１参照）においては、リベット５０の延在する方向の長さを考慮しつつ、エアシリンダの下方向へのストローク量を決定することが必要である。つまりリベット５０の長さよりも大きなストローク量であることにより、リベット５０の全体を加熱コイル５外に開放できる。たとえばリベット５０の長さが７５ｍｍ以下である場合、エアシリンダによるリベット５０のストローク量は１００ｍｍと設定される。ところがリベット５０を挿入する耐熱シート２３およびこれを載置する耐熱ベースシート２１などは消耗品であり、交換される場合がある。ここで交換前後で上下方向の厚みが異なる耐熱シート２３などが用いられた場合、リベット５０のストローク量が変更できなければ、加熱コイル５が所望の位置に対してずれた位置に配置されることになる。このような状況を回避する観点から、上下方向のリベット５０の位置が微調整できる機構として、機械的調整機構９が追加で備えられることが好ましい。
【００５４】
上記リベット施工方法においては、加熱装置１００は、耐熱ベースシート２１と、耐熱ベースシート２１の上に配置される耐熱シート２３とをさらに備えてもよい。耐熱シート２３には貫通孔２５が形成されており、リベット５０を加熱する工程においては、リベット５０の頭部を貫通孔２５内に挿入し、リベット５０が倒立可能であってもよい。これにより、リベット５０が倒立した状態で、加熱コイル５による均一な加熱ができる。またリベット５０に加えられた熱の昇降装置７の側への伝搬が、耐熱シート２３および耐熱ベースシート２１により抑制できる。
【００５５】
上記リベット施工方法においては、加熱装置１００は、耐熱ベースシート２１および耐熱シート２３を搭載する搭載部１３をさらに備え、搭載部１３を構成する材料の主成分はアルミニウムであってもよい。これにより、リベット５０の加熱中にリベット５０の周辺部分が誘導発熱を受けることを抑制できる。
【００５６】
上記リベット施工方法においては、リベット５０を挿入する工程の後、リベット５０を加熱する工程の前に、加熱コイル５内に治具３０を挿入する工程をさらに備える。治具３０は筒形状を有する筒形状部３１を含む。治具３０を挿入する工程においては、加熱コイル５とリベット５０との間に、筒形状部３１が挿入される。このように施工がなされてもよい。これにより、加熱コイル５とリベット５０との径方向の間隔が、当該径方向を有する円周の周方向についての異なる位置間でほぼ等しくなるように、リベット５０を保持することができる。言い換えれば、治具３０を挿入する工程においては、リベット５０と加熱コイル５との隙間を均等にセットする目的で、加熱コイル５とリベット５０との間に筒形状部３１が挿入される。これにより、リベット５０の表面の異なる位置間で、加熱コイル５との距離の差が少なくなる。このためリベット５０を均一に加熱できる。
【００５７】
上記リベット施工方法においては、加熱コイル５内に治具３０を挿入する工程の後、治具３０を加熱コイル５内から取り外す工程をさらに備えてもよい。治具３０は、筒形状部３１が延在する方向の一方の端部に固定された収納部３３と、収納部３３内に収納可能な押圧部３５とをさらに含む。治具３０を加熱コイル５内から取り外す工程においては、延在する方向について収納部３３に対して押圧部３５が移動し収納部３３に対する押圧部３５の相対位置が変化することにより、押圧部３５の一部が筒形状部３１内に収納された状態でリベット５０を押圧する。治具３０はこのような構成を有してもよい。これにより、加熱コイル５内から治具３０を上方へ抜き取る際に、リベット５０を抜かないように治具３０のみをスムーズに抜き取ることができる。
【００５８】
以上のリベット施工方法を実施するためのリベット施工システム２００は、上記加熱装置１００と、運搬手段１１０と、ホース４とを備える。運搬手段１１０は、加熱装置１００をリベット５０を打設する工程がなされる打設場所まで運搬する。ホース４は、打設場所にてリベット５０を加熱する工程からリベット５０を打設する工程までにおいて加熱コイル５に冷媒を流すことが可能である。
【００５９】
図１８は、比較例のリベット施工システムの第１例を用いた、リベットを打設する工程を示す概略図である。図１８を参照して、第１の比較例のリベット施工システムでは、路面Ａにコークス炉９９を設置し、コークス炉９９によりリベットが加熱される。しかし特に打設場所としての橋梁が森林の近くに存在する場合などは、コークスを燃焼することによる火災の発生が危惧される。また路面Ａでリベットを加熱する場合には、図中矢印のように桁下Ｂへ向けて加熱されたリベットを投げる必要がある。このリベットを投げる作業は困難である。
【００６０】
図１９は、比較例のリベット施工システムの第２例を用いた、リベットを打設する工程を示す概略図である。図１９を参照して、第２の比較例のリベット施工システムでは、桁下Ｂにコークス炉９９が設置されている。この場合にも桁下Ｂの足場が悪いために作業が困難になる場合がある。
【００６１】
図１８および図１９のいずれの例においても、コークス炉９９の設置可能な場所が限られる上に、コークスを使用する作業は困難であるという問題がある。
【００６２】
そこで本実施の形態のリベット施工システム２００においては、加熱コイル５を用いて容易にリベット５０を加熱可能な加熱装置１００が、打設場所まで運搬手段１１０で運搬される。さらに、運搬手段１１０の停車場所である路面Ａからみて実際の打設場所である桁下Ｂが離れている場合には、図１７のように（比較的サイズが小さい）加熱コイル５および昇降装置７のみを桁下Ｂへ移動させ、運搬手段１１０に積まれた冷却装置３から加熱コイル５までホース４を繋ぐ。ホース４は最大で約２０ｍである。これにより桁下Ｂでの加熱コイル５による作業時およびその後のホース４による加熱コイル５の冷却が容易に行なえる。このようにすれば、打設場所により近い場所にて加熱コイル５により容易にリベット５０が加熱されるとともに、加熱後即時に打設ができる。このため作業をより容易に、安全に、かつより高効率に行なえる。また複数本のリベット５０を加熱したい場合に、たとえば１本目のリベット５０の加熱終了後、直ちに２本目のリベット５０の加熱作業に着手できる。
【００６３】
以上により、本実施の形態のリベット施工システム２００を用いれば、加熱後のリベット５０を投げるような困難な作業を有さず、より容易にかつ高効率に、リベット５０の加熱および打設ができる。
【００６４】
以上に述べた実施の形態（に含まれる各例）に記載した特徴を、技術的に矛盾のない範囲で適宜組み合わせるように適用してもよい。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  電源装置、３  冷却装置、４  ホース、５  加熱コイル、７  昇降装置、８  エアジャッキ、８ａ  エアシリンダ、９  機械的調整機構、９ａ  ダイヤル、９ｂ  微調整部、９ｃ  エアジャッキ昇降部、１１  エアー弁、１３  搭載部、２１  耐熱ベースシート、２３  耐熱シート、２５  貫通孔、３０  治具、３１  筒形状部、３３  収納部、３５  押圧部、３７  把持部、５０  リベット、９９  コークス炉、１００  加熱装置、１１０  運搬手段、２００  リベット施工システム。
【要約】
【課題】安全性が高く熟練技能者の判断が伴う側面が少なく作業効率の高い新たなリベット施工方法、および施工現場において当該リベット施工方法を安全、容易かつ高効率に用いるための単一化されたリベット施工システムを提供する。
【解決手段】リベット施工方法は、リベットを加熱する加熱コイル５と、リベットを昇降可能な昇降装置７とを備える加熱装置１００を用いる。当該リベット施工方法においては、昇降装置７を用いて加熱コイル５内にリベットが挿入される。加熱コイル５による誘導発熱を用いてリベットが加熱される。リベットが加熱された後、加熱コイル５内からリベットが抜かれる。リベットを加熱する工程により加熱されたリベットが打設される。
【選択図】図２【図１】
0006897940.tif 000002
【図２】
0006897940.tif 000003
【図３】
0006897940.tif 000004
【図４】
0006897940.tif 000005
【図５】
0006897940.tif 000006
【図６】
0006897940.tif 000007
【図７】
0006897940.tif 000008
【図８】
0006897940.tif 000009
【図９】
0006897940.tif 000010
【図１０】
0006897940.tif 000011
【図１１】
0006897940.tif 000012
【図１２】
0006897940.tif 000013
【図１３】
0006897940.tif 000014
【図１４】
0006897940.tif 000015
【図１５】
0006897940.tif 000016
【図１６】
0006897940.tif 000017
【図１７】
0006897940.tif 000018
【図１８】
0006897940.tif 000019
【図１９】
0006897940.tif 000020